(57)【要約】【課題】安価に提供でき、後方監視カメラとガーニッシュ部材との一体感に優れる後方監視カメラの取付構造およびガーニッシュ部材を提供する。【解決手段】後方監視カメラの取付構造において、ガーニッシュ部材の補強リブに後方監視カメラを係合させ、後方監視カメラをガーニッシュ部材に固定する。また、ガーニッシュ部材の補強リブに、後方監視カメラを係合固定する固定部を設ける。後方監視カメラがガーニッシュ部材に直接固定されるため、後方監視カメラとガーニッシュ部材とが一体感に優れたものとなる。【選択図】図１
2006199065.tif 000002
【特許請求の範囲】
【請求項１】
自動車の車体後方を撮像する後方監視カメラと、自動車の車体後側に取り付けられて該後方監視カメラを覆う断面略Ｌ字状のガーニッシュ部材と、を持つ後方監視カメラの取付構造であって、
該ガーニッシュ部材は、該後方監視カメラのレンズに対向する位置に形成されている開口と、該開口の外周側に形成され裏面側に突出する補強リブと、を持ち、
該後方監視カメラは、該補強リブと係合することで該ガーニッシュ部材に固定されていることを特徴とする後方監視カメラの取付構造。
【請求項２】
前記補強リブと前記後方監視カメラとの一方に形成されている突起部と、他方の該突起部に対向する位置に形成され該突起部と係合する溝部と、からなる固定対を少なくとも一対備える請求項１記載の後方監視カメラの取付構造。
【請求項３】
自動車の車体後側に取り付けられ、自動車の車体後方を撮像する後方監視カメラを覆う断面略Ｌ字状のガーニッシュ部材であって、
該後方監視カメラのレンズに対向する位置に形成されている開口と、該開口の外周側に形成され裏面側に突出する補強リブと、を持ち、
該補強リブには、該後方監視カメラを係合固定する固定部が設けられていることを特徴とするガーニッシュ部材。
【発明の詳細な説明】
【技術分野】
【０００１】
本発明は、自動車の車体後方を撮像する後方監視カメラを自動車の車体に取り付ける技術に関する。
【背景技術】
【０００２】
後方監視カメラは自動車の車体後方を撮像するカメラであり、自動車の後進運転の際などに車体後方を確認するための装置（所謂バックガイドモニタ）の一部を構成する。従来、後方監視カメラはブラケットを介して車体の後側に取り付けられていた。そして、後方監視カメラはガーニッシュ部材によって覆われていた。
【０００３】
ガーニッシュ部材は、後方監視カメラの画角に干渉しない位置に取り付ける必要がある。ガーニッシュ部材の形状は車種毎に異なるために、ガーニッシュ部材に対する後方監視カメラの取付角度は車種毎に異なる。従って、後方監視カメラを車体に取り付けるためのブラケットは、車種毎に専用に準備する必要があった。このため、後方監視カメラを取り付けるためのコストが高くなる問題があった。
【０００４】
また、上述したように、従来の後方監視カメラはブラケットを介して車体に取り付けられる。このため、後方監視カメラおよびガーニッシュ部材を車体に取り付ける際には、先ず、後方監視カメラをブラケットに取り付け、次いでブラケットを車体に取り付け、その後にガーニッシュ部材を車体に取り付けていた。ガーニッシュ部材には、後方監視カメラのレンズに対向する位置に開口が設けられており、ガーニッシュ部材は、開口内にレンズを収容しつつ車体に取り付けられていた。
【０００５】
このように、ガーニッシュ部材と後方監視カメラとはともに車体に取り付けられる。したがって、ガーニッシュ部材の開口は、後方監視カメラの取り付け位置が多少ずれても対応できるように、後方監視カメラの外径よりも遙かに大径に形成する必要があった。このため、後方監視カメラとガーニッシュ部材の開口外縁との間には、大きな隙間が形成されていた。
【０００６】
しかし、後方監視カメラとガーニッシュ部材の開口外縁との間の隙間が大きいと、後方監視カメラとガーニッシュ部材との一体感が損なわれる問題がある。すなわち、自動車の意匠性が損なわれる問題や、ガーニッシュ部材の裏面側に水や泥等が侵入し易い問題がある。また、隙間に工具等が差し込み易く、後方監視カメラが取り外し易いために、後方監視カメラが盗難にあう可能性もあった。
【０００７】
後方監視カメラをブラケットに取り付けた状態で、ブラケットをガーニッシュ部材に仮止めし、ブラケットとガーニッシュ部材とをともに車体に取り付ける方法もある（例えば、特許文献１参照）。この場合には、後方監視カメラを車体に取り付ける取付作業性が向上する。そして、ブラケットとガーニッシュ部材とは仮止めされているだけであるため、例えばリサイクルの目的でガーニッシュ部材を取り外す際にも、取り外しの作業が容易になる利点もある。
【０００８】
しかし、このような後方監視カメラの取付構造においても、依然ブラケットが必要であるために、製造コストが高い問題があった。さらに、ブラケットとガーニッシュ部材とは仮止めされているに過ぎず、ブラケットを車体に取り付ける際に後方監視カメラとガーニッシュ部材との固定位置がずれ易い。従って、この場合にもガーニッシュ部材の開口は、後方監視カメラの外径よりも遙かに大径に形成する必要があり、後方監視カメラとガーニッシュ部材の開口外縁との間には大きな隙間が形成されていた。このため、この場合にも、後方監視カメラとガーニッシュ部材との一体感が損なわれる問題は解消されていなかった。
【特許文献１】特開２００４−２０３３４５号公報
【発明の開示】
【発明が解決しようとする課題】
【０００９】
本発明は上記事情に鑑みてなされたものであり、安価に提供でき、後方監視カメラとガーニッシュ部材との一体感に優れる後方監視カメラの取付構造およびガーニッシュ部材を提供することを目的とする。
【課題を解決するための手段】
【００１０】
上記課題を解決する本発明の後方監視カメラの取付構造は、自動車の車体後方を撮像する後方監視カメラと、自動車の車体後側に取り付けられて後方監視カメラを覆う断面略Ｌ字状のガーニッシュ部材と、を持つ後方監視カメラの取付構造であって、
ガーニッシュ部材は、後方監視カメラのレンズに対向する位置に形成されている開口と、開口の外周側に形成され裏面側に突出する補強リブと、を持ち、
後方監視カメラは、補強リブと係合することでガーニッシュ部材に固定されていることを特徴とする。
【００１１】
本発明の後方監視カメラの取付構造は、上記補強リブと上記後方監視カメラとの一方に形成されている突起部と、他方の突起部に対向する位置に形成され突起部と係合する溝部と、からなる固定対を少なくとも一対備えることが好ましい。
【００１２】
上記課題を解決する本発明のガーニッシュ部材は、自動車の車体後側に取り付けられ、自動車の車体後方を撮像する後方監視カメラを覆う断面略Ｌ字状のガーニッシュ部材であって、後方監視カメラのレンズに対向する位置に形成されている開口と、開口の外周側に形成され裏面側に突出する補強リブと、を持ち、補強リブには、後方監視カメラを係合固定する固定部が設けられていることを特徴とする。
【発明の効果】
【００１３】
本発明の後方監視カメラの取付構造では、後方監視カメラはガーニッシュ部材を介して車体に取り付けられる。後方監視カメラをガーニッシュ部材に直接取り付けることでブラケットが必要がなくなり、ブラケットに要する製造コストが削減できる。
【００１４】
また、ガーニッシュ部材のうち後方監視カメラを固定する部分は、ガーニッシュ部材に従来から設けられていた補強リブを転用すればよいので、ガーニッシュ部材を軽量化でき、自動車の燃費向上に寄与できる利点もある。さらに、補強リブで後方監視カメラを固定するために、ガーニッシュ部材の形状に大幅な変更はなく、ガーニッシュ部材を製造する成形型等に多大なコストを要することもない。
【００１５】
さらに、後方監視カメラをガーニッシュ部材に直接取り付けることで、後方監視カメラとガーニッシュ部材とを互いに正確な位置で取付できる。このため、ガーニッシュ部材の開口外縁と後方監視カメラとの間に形成される隙間を縮小でき、後方監視カメラとガーニッシュ部材との一体感に優れる。したがって、意匠性が向上し、水や泥等の侵入が防止され、盗難が防止される。
【００１６】
本発明の後方監視カメラの取付構造において、補強リブと後方監視カメラとの一方に突起部を形成し、他方の突起部に対向する位置に溝部を形成して、突起部と溝部とからなる固定対を少なくとも一対設ける場合には、簡単な構造で後方監視カメラをガーニッシュ部材に取り付けできる。また、後方監視カメラをガーニッシュ部材に対して正確な位置で強固に固定できる利点もある。
【発明を実施するための最良の形態】
【００１７】
本発明の後方監視カメラの取付構造において、後方監視カメラは従来公知の機構で撮像するものを使用できる。後方監視カメラはガーニッシュ部材の補強リブと係合すればよく、例えば、複数の補強リブが後方監視カメラの表面と係止して後方監視カメラを挟持するようなものでも良い。後方監視カメラを強固に取り付けする必要がある場合には、後方監視カメラとガーニッシュ部材とに、互いに係合する一対（または複数対）の固定対を設ければよい。
【００１８】
固定対の形状や数は、後方監視カメラやガーニッシュ部材の形状に応じて種々に設定できるが、固定対は少なくとも一対あればよい。固定対が多いほど後方監視カメラとガーニッシュ部材とが強固に固定され、固定対が少ないほど製造コストが安くなる。
【００１９】
固定対としては、溝部と突起部とからなるものが好ましく用いられる。後方監視カメラに突起部を設ける場合には、ガーニッシュ部材に溝部を設ければよい。また、後方監視カメラに溝部を設ける場合には、ガーニッシュ部材に突起部を設ければよい。溝部と突起部とは、後方監視カメラをガーニッシュ部材に対して所定の位置に固定できるように、互いに対向する位置に配されればよい。突起部と溝部とは、突起部が溝部に圧入されて係合するように構成しても良いし、突起部が溝部にスライド係合するように構成しても良い。突起部が溝部にスライド係合するように構成する場合には、後方監視カメラをガーニッシュ部材に容易に取り付けできる利点がある。
【００２０】
補強リブは、ガーニッシュ部材の強度を充分に補強できる形状のものであれば良く、配設位置や個数は特に限定されない。後方監視カメラと係合する補強リブ以外の補強リブを設けても良い。以下、後方監視カメラと係合する補強リブを係合リブと呼び、それ以外の補強リブを一般リブと呼ぶ。本発明において、係合リブの配置位置は後方監視カメラの形状に対応して決定される。このため、ガーニッシュ部材のうち係合リブが配置されていない部分の強度を高めるためには、係合リブと一般リブとの両方を設けることが好ましい。
【００２１】
本発明のガーニッシュ部材において、補強リブには後方監視カメラを係合固定する固定部が設けられている。この固定部は、後方監視カメラの形状に応じて種々の形状に形成できる。例えば、後方監視カメラに突起部が形成されている場合には、上述した固定対の他方を構成する溝部が固定部となる。後方監視カメラに溝部が形成されている場合には、固定対の他方を構成する突起部が固定部となる。固定部は、溝−突起形状以外にも種々の形状に形成できる。
【実施例】
【００２２】
以下、本発明の後方監視カメラの取付構造およびガーニッシュ部材を図面を基に説明する。
【００２３】
（実施例１）
実施例１の後方監視カメラの取付構造は、後方監視カメラに２つの溝部が形成され、ガーニッシュ部材の補強リブ（係合リブ）に２つの突起部が形成されたものであり、突起部と溝部とからなる固定対を２対備えるものである。実施例１の後方監視カメラの取付構造を模式的に表す断面図を図１に示し、実施例１のガーニッシュ部材を模式的に表す要部拡大斜視図を図２に示す。以下、本明細書において、上、下、左、右、前、後とは図２における上、下、左、右、前、後を指すものとする。
【００２４】
実施例１の後方監視カメラの取付構造は、後方監視カメラ１とガーニッシュ部材２とを備えている。後方監視カメラ１は、略角筒状の筐体１０と、電子部材（図示せず）と、レンズ１１とを備えている。電子部材は筐体１０内部に保持されている。レンズ１１は後方監視カメラ１の下端側に表出している。後方監視カメラ１のうち、筐体１０の対向する２側面には、長尺の溝部３が形成されている。溝部３は筐体１０の下端側に開口している。そして、筐体１０の略中央部にまで延びている。
【００２５】
ガーニッシュ部材２は断面略Ｌ字状に形成された長尺の部材であり、裏面２０を車体側に向けて車体の後側方部に取り付けられる。ガーニッシュ部材２は、車体後側部の一部を構成する車体パネル４にネジ止めされている。
【００２６】
ガーニッシュ部材２の下壁２１には、ガーニッシュ部材２の表裏を連通する矩形状の開口２２が形成されている。この開口２２は、後方監視カメラ１の筐体１０の外径よりも僅かに大径に形成されている。
【００２７】
開口２２の外縁のうち、ガーニッシュ部材２の長尺方向（左右方向）の２端には、係合リブ２３が形成されている。係合リブ２３は、ガーニッシュ部材２の下壁２１と側壁２４とに一体化された側面三角形状に形成され、ガーニッシュ部材２の裏面２０側に突出している。また、ガーニッシュ部材２には図示しない複数個の一般リブが形成されている。
【００２８】
各々の係合リブ２３のうち、開口２２に面する壁面には、鉛直方向に対して傾斜した方向に延びる突起部５が形成されている。この突起部５は長尺の角柱状に形成され、長面が係合リブ２３の壁面に一体化されている。
【００２９】
本実施例では、突起部５および溝部３が延びる方向は、ガーニッシュ部材２に後方監視カメラ１を挿入する方向と一致している。後方監視カメラ１をガーニッシュ部材２に組み付ける際には、ガーニッシュ部材２の裏面２０側から後方監視カメラ１の下端部（レンズ１１が設けられている部分）を開口２２に挿入する。このとき、溝部３の下端を突起部５の上端にあてて、溝部３を突起部５に対してスライドさせる。すると、突起部５の側面と溝部３の側壁面とが係合し、溝部３の上壁面と突起部５の上端面とが係合する位置で、後方監視カメラ１が係合リブ２３に係合固定される。なお、本実施例においては、互いに係合する突起部５と溝部３とから一対の固定対が構成されている。そして、本実施例の後方監視カメラの取付構造は、二対の固定対を持つ。さらに、本実施例のガーニッシュ部材２においては、突起部５が固定部を構成する。
【００３０】
本実施例において、後方監視カメラ１は、突起部５と溝部３とが延びる方向に案内されてガーニッシュ部材２に固定される。このため、後方監視カメラ１はガーニッシュ部材２に対して正確な位置に容易に取り付けられる。また、突起部５は角柱状に形成されているために、後方監視カメラ１が突起部５を中心に回転することはない。突起部５の角が溝壁面に干渉するためである。したがって、後方監視カメラ１はガーニッシュ部材２に対して正確な位置に固定される。
【００３１】
後方監視カメラ１をガーニッシュ部材２に取り付けた後、ガーニッシュ部材２を車体パネル４に取り付ける。
【００３２】
ガーニッシュ部材２および車体パネル４には図示しない螺合孔が設けられており、ガーニッシュ部材２を車体パネル４にネジ止めできるようになっている。なお、車体パネル４のうち後方監視カメラ１が配される位置には、貫通孔からなる取付孔４０が設けられている。そして、車体パネル４の裏面４１側には図示しないカメラ用リード線が配されており、カメラ用リード線は取付孔４０から引き出せるようになっている。ガーニッシュ部材２を車体の車体パネル４に取り付ける際には、先ず、カメラ用リード線に後方監視カメラ１の電子部材を接続する。そして、後方監視カメラ１のうちリード線が接続されている上端部（レンズ１１が設けられている部分と逆側の端部）を取付孔４０に差し込みつつ、ガーニッシュ部材２を車体パネル４にネジ止めする。
【００３３】
ここで、後方監視カメラ１のうち筐体１０の外周側には、弾性材料からなるシール部材１２が取り付けられている。このシール部材１２は、車体パネル４の取付孔４０と後方監視カメラ１との隙間をシールする。このため、ガーニッシュ部材２が車体パネル４に取り付けられると、車体パネル４の裏面４１側、すなわち車両の内部が外界から遮蔽される。また後方監視カメラ１は、下端部が開口２２から僅かに表出する以外は、ガーニッシュ部材２と車体パネル４とで覆われる。
【００３４】
本実施例の後方監視カメラの取付構造において、後方監視カメラ１の画角は、図１に示すａ部分である。後方監視カメラ１とガーニッシュ部材２とは、ガーニッシュ部材２が画角ａと干渉しない位置で固定する必要がある。本発明の後方監視カメラの取付構造では、後方監視カメラ１はガーニッシュ部材２に固定され、車体パネル４には直接固定されない。このため、後方監視カメラ１をガーニッシュ部材２に取り付けた後には、後方監視カメラ１のガーニッシュ部材２に対する固定位置がずれることはない。したがって、ガーニッシュ部材２の開口２２は、後方監視カメラ１の外径よりも僅かに大きく設ければ良く、ガーニッシュ部材２の開口外縁２５と後方監視カメラ１との間に形成される隙間を縮小できる。
【００３５】
よって、本実施例の後方監視カメラの取付構造は、後方監視カメラ１とガーニッシュ部材２との一体感に優れ、意匠性が向上し、水や泥等の侵入が防止され、盗難が防止される。
【００３６】
なお、本実施例では、２つの突起部５が互いに対称な位置に形成され、２つの溝部３が互いに対称な位置に形成されているが、これに限らず互いに非対称な位置に形成しても良い。この場合、後方監視カメラ１とガーニッシュ部材２とがより強固に係合し、例えば自動車の急制動によって後方監視カメラ１に外力が加わった場合にも、後方監視カメラ１の固定位置がずれ難く、後方監視カメラ１の画角ａがガーニッシュ部材２に干渉され難い利点がある。
【００３７】
なお、溝部３および突起部５の延びる方向（鉛直方向に対する角度ｂ）は、後方監視カメラ１の画角ａと、ガーニッシュ部材２の外形と、後方監視カメラ１のガーニッシュ部材２に対する固定位置との関係に応じて適宜設定すればよい。
【００３８】
（実施例２）
実施例２の後方監視カメラの取付構造は、後方監視カメラに２つの突起部が形成され、ガーニッシュ部材の補強リブ（係合リブ）に２つの溝部が形成されたものであり、突起部と溝部とからなる固定対を二対備えるものである。実施例２の後方監視カメラの取付構造を模式的に表す断面図を図３に示し、実施例２のガーニッシュ部材を模式的に表す要部拡大斜視図を図４に示す。
【００３９】
本実施例の後方監視カメラの取付構造は、係合リブ２３の形状、溝部３および突起部５の形状、および、係合リブ２３に溝部３が設けられ後方監視カメラ１に突起部５が設けられていること以外は、実施例１と同じものである。
【００４０】
実施例２において、係合リブ２３は長尺の板状に形成され、長尺方向の２端がガーニッシュ部材２の下壁２１と側壁２４とにそれぞれ一体化されている。この係合リブ２３もまたガーニッシュ部材２の裏面２０側に突出している。
【００４１】
係合リブ２３のうち、開口２２に面する壁面には、溝部３からなる固定部が形成されている。溝部３は鉛直方向に対して傾斜した方向に延びる案内部３０と、下端部が前側下方に屈曲したロック部３１とからなる略Ｌ字状に形成されている。
【００４２】
後方監視カメラ１のうち、筐体１０の対向する２側面には突起部５が形成されている。突起部５は、溝部３のロック部３１に対応した形状の短尺の角柱状に形成されている。
【００４３】
本実施例の後方監視カメラの取付構造において、溝部３の案内部３０が延びる方向は、ガーニッシュ部材２に後方監視カメラ１を挿入する方向と一致している。後方監視カメラ１をガーニッシュ部材２に組み付ける際には、先ず、ガーニッシュ部材２の裏面２０側から後方監視カメラ１の下端部を開口２２に挿入する。このとき、突起部５の下端を溝部３（案内部３０）の上端にあてて、突起部５を溝部３に対してスライドさせる。突起部５の下端が案内部３０の下壁面と係合する位置にまで後方監視カメラ１を挿入した後に、さらに、後方監視カメラ１をロック部３１の延びる方向に挿入して、突起部５をロック部３１内に進入させる。突起部５の表面がロック部３１の溝内面と係合する位置にまで後方監視カメラ１を挿入すると、突起部５と溝部３とが係合固定される。なお、本実施例においても、互いに係合する突起部５と溝部３とから一対の固定対が構成されている。そして、本実施例の後方監視カメラの取付構造もまた、二対の固定対を持つ。さらに、本実施例のガーニッシュ部材２においては、溝部３が固定部を構成する。
【００４４】
後方監視カメラ１をガーニッシュ部材２に取り付けた後に、ガーニッシュ部材２を車体パネル４に取り付ける。この取付操作は、実施例１と同様である。
【００４５】
本実施例において、突起部５はロック部３１内にロックされている。このため、自動車の急制動時等に後方監視カメラ１に外力が加わった場合にも、突起部５が案内部３０に逆走することはない。したがって、後方監視カメラ１の固定位置は非常にずれ難く、後方監視カメラ１の画角ａがガーニッシュ部材２に干渉され難い利点がある。
【００４６】
また、本実施例の後方監視カメラの取付構造では、突起部５が角柱状に形成され、突起部５はロック部３１の溝壁面と係合している。このため、後方監視カメラ１が突起部５を中心に回転することはなく、後方監視カメラ１はガーニッシュ部材２に対して正確な位置に固定される。
【００４７】
さらに、本実施例の後方監視カメラの取付構造においても、後方監視カメラ１はガーニッシュ部材２に固定され、車体には直接固定されない。したがって、後方監視カメラ１をガーニッシュ部材２に取り付けた後には、後方監視カメラ１のガーニッシュ部材２に対する固定位置がずれることはない。したがって、実施例１と同様に、ガーニッシュ部材２の開口外縁２５と後方監視カメラ１との間に形成される隙間を縮小できる。
【００４８】
よって、本実施例の後方監視カメラの取付構造もまた、後方監視カメラ１とガーニッシュ部材２との一体感に優れ、意匠性が向上し、水や泥等の侵入が防止され、盗難が防止される。
【図面の簡単な説明】
【００４９】
【図１】実施例１の後方監視カメラの取付構造を模式的に表す断面図である。
【図２】実施例１のガーニッシュ部材を模式的に表す要部拡大斜視図である。
【図３】実施例２の後方監視カメラの取付構造を模式的に表す断面図である。
【図４】実施例２のガーニッシュ部材を模式的に表す要部拡大斜視図である。
【符号の説明】
【００５０】
１：後方監視カメラ  ２：ガーニッシュ部材  １１：レンズ  ３：溝部  ２２：開口  ２３：係合リブ  ５：突起部
【図１】
2006199065.tif 000003
【図２】
2006199065.tif 000004
【図３】
2006199065.tif 000005
【図４】
2006199065.tif 000006